(57)【特許請求の範囲】
【請求項１】
低酸素又は無酸素状態のガス化炉又熱分解炉の熱分解域における固体又は液体燃料の蒸し焼きにより熱分解ガスを生成するガス化炉又は熱分解炉を備えた固体又は液体燃料のガス化装置において、
水又は低温水蒸気と低温空気とを７００℃以上の高温水蒸気及び高温空気に加熱する水蒸気及び空気の加熱装置と、
前記ガス化炉又は熱分解炉の熱分解域の熱分解ガスを導入可能な中空の改質域を備えた改質装置と、
前記改質域に導入された前記熱分解ガスが、該熱分解ガス中の炭素化合物と前記高温水蒸気及び高温空気との吸熱改質反応及び酸化発熱反応によって改質されるように、所定の重量比の前記高温水蒸気及び高温空気を前記改質域に導入する高温水蒸気及び高温空気の供給装置とを有することを特徴とする固体又は液体燃料のガス化装置。
【請求項２】
前記供給装置は、前記高温水蒸気及び高温空気が保有する顕熱と、前記高温空気及び前記燃料の酸化発熱反応により発生する熱とによって前記固体又は液体燃料が熱分解して、熱分解ガスを生成するように、前記高温水蒸気及び高温空気を前記熱分解域に導入する供給路を更に有することを特徴とする請求項１に記載のガス化装置。
【請求項３】
前記加熱装置は、低温水蒸気を７００℃以上の高温に加熱する水蒸気加熱装置と、低温空気を７００℃以上の高温に加熱する空気加熱装置とを有し、前記供給装置は、前記高温水蒸気及び高温空気を前記改質域に夫々導入する高温水蒸気供給路及び高温空気供給路を備えることを特徴とする請求項１又は２に記載のガス化装置。
【請求項４】
前記加熱装置は、低温水蒸気及び低温空気を混合する混合手段と、前記水蒸気及び空気の混合気を７００℃以上の高温に加熱する水蒸気・空気加熱装置とを有し、前記供給装置は、高温の水蒸気及び空気の混合気を前記改質域に導入する高温混合気供給路を備えることを特徴とする請求項１又は２に記載のガス化装置。
【請求項５】
前記加熱装置は、低温水蒸気を７００℃以上の高温に加熱する水蒸気加熱装置と、低温空気を７００℃以上の高温に加熱する空気加熱装置と、前記高温水蒸気及び高温空気を混合する混合手段とを有し、前記供給装置は、前記高温水蒸気及び高温空気の混合気を前記改質域に導入する高温混合気供給路を備えることを特徴とする請求項１又は２に記載のガス化装置。
【請求項６】
改質後のガスを精製するガス精製装置を更に有し、該精製装置は、精製後の燃料ガスの少なくとも一部を前記加熱装置に供給する燃料ガス給送路を備え、前記加熱装置は、精製後のガスの燃焼熱によって前記水又は低温水蒸気と前記低温空気とを高温に加熱する熱交換装置を備えることを特徴とする請求項１に記載のガス化装置。
【請求項７】
前記混合手段は、前記水蒸気及び空気の混合比を任意の混合比に可変設定可能な混合制御装置を備えることを特徴とする請求項４又は５に記載のガス化装置。
【請求項８】
低酸素又は無酸素状態のガス化炉又熱分解炉の熱分解域における固体又は液体燃料の蒸し焼きにより熱分解ガスを生成する固体又は液体燃料のガス化方法において、
ガス化炉又は熱分解炉の熱分解ガスを中空の改質域に導入する工程と、
水又は低温水蒸気と低温空気とを７００℃以上の高温水蒸気及び高温空気に加熱して該高温水蒸気及び高温空気を前記改質域に導入し、前記高温水蒸気及び高温空気を前記熱分解ガスと混合して該熱分解ガスを改質する工程とを有し、
前記高温水蒸気及び高温空気と前記熱分解ガスとを混合する前記工程において、前記高温空気と前記熱分解ガス中の炭素化合物との発熱反応により発生した熱により、前記高温水蒸気及び前記炭素化合物の吸熱改質反応に要する熱を補うように、前記高温水蒸気及び高温空気の重量比を所定の範囲内に設定したことを特徴とする固体又は液体燃料のガス化方法。
【請求項９】
前記高温水蒸気及び高温空気は、前記熱分解域に更に導入され、前記固体又は液体燃料は、前記高温水蒸気及び高温空気が保有する顕熱と、前記高温空気及び前記燃料の酸化発熱反応により発生する熱とによって熱分解し、熱分解ガスを前記熱分解域に生成することを特徴とする請求項８に記載のガス化方法。
【請求項１０】
前記高温水蒸気及び高温空気の混合比が可変制御されることを特徴とする請求項８に記載のガス化方法。
【請求項１１】
前記低温空気として、比較的低温の空気、純酸素、或いは、空気及び酸素の混合気が使用されることを特徴とする請求項８、９又は１０に記載のガス化方法。
【請求項１２】
前記改質域において改質反応を受けた熱分解ガスは、洗浄・浄化処理を受けた後、ガス化装置外の燃焼設備又は熱機関に対して精製燃料ガスとして供給されるとともに、水又は低温水蒸気と低温空気とを７００℃以上の高温水蒸気及び高温空気に加熱する加熱装置に対して精製燃料ガスとして供給され、該加熱装置は、前記精製燃料ガスの燃焼熱によって前記水又は低温水蒸気と前記低温空気とを加熱することを特徴とする請求項８乃至１１のいずれか１項に記載のガス化方法。
【請求項１３】
前記改質反応を受けた熱分解ガスは、洗浄・浄化処理を受ける前に冷却装置に導入され、該冷却装置は、前記熱分解ガスが保有する顕熱によって水を低温水蒸気に気化し、或いは、低温水蒸気及び／又は空気を加熱するとともに、改質後の前記熱分解ガスを冷却することを特徴とする請求項１２に記載のガス化方法。
【請求項１４】
前記固体又は液体燃料として、廃棄物、石炭、バイオマス燃料又は重質油が使用されることを特徴とする請求項８乃至１３のいずれか１項に記載のガス化方法。
【請求項１５】
請求項１乃至７のいずれか１項に記載のガス化装置を備えた廃棄物ガス化装置。
【請求項１６】
請求項１乃至７のいずれか１項に記載のガス化装置を備えた石炭ガス化装置。
【請求項１７】
請求項１乃至７のいずれか１項に記載のガス化装置と、該ガス化装置が生成した燃料ガスを燃料として作動する発電装置とを備えたガス化発電装置。
【発明の詳細な説明】
【０００１】
【発明の属する技術分野】
本発明は、固体又は液体燃料のガス化装置及びガス化方法に関するものであり、より詳細には、廃棄物、石炭、バイオマス燃料又は重質油等の固体又は液体燃料を熱分解反応によりガス化し、比較的良質の燃料ガスを生成する固体又は液体燃料のガス化装置及びガス化方法に関するものである。
【０００２】
【従来の技術】
廃プラスチック、汚泥、シュレッダダスト又は都市ゴミ等の廃棄物、或いは、石炭等の固体燃料を熱分解炉に導入し、無酸素又は低酸素状態の高温還元性雰囲気において固体燃料を熱分解して熱分解ガスを生成する固体燃料のガス化システムが知られている。熱分解炉として、廃棄物ガス化溶融炉、石炭ガス化炉、ロータリーキルン式熱分解炉（外部加熱式熱分解炉）又はー括投入型熱分解炉（自燃式熱分解炉) などの様々な形式の燃焼炉又は焼成炉が、一般に使用される。
【０００３】
本発明者等は、８００℃を超える高温の空気を連続的に供給可能な高温空気発生装置と、多数の球形セラミックスを内蔵した廃棄物ガス化溶融炉とを含む廃棄物ガス化溶融システムを近年において開発している。高温空気発生装置の高温空気は、廃棄物ガス化炉に導入され、球形セラミックス（ペブル）上の廃棄物は、溶融スラグ化する。廃棄物の熱分解により生成した熱分解ガスは、炉外に導出され、洗浄装置及び浄化装置に導入される。洗浄・浄化装置は、熱分解ガスの塩素分、硫黄分、重金属又は微量残留物等の環境汚染物質を除去するとともに、熱分解ガスを急冷し、ダイオキシンの再合成等を防止する。洗浄・浄化され且つ冷却した熱分解ガスは、比較的良質の燃料ガスとしてボイラ又は工業炉等の加熱炉、ガスエンジン、ガスタービン又はディーゼルエンジン等の内燃機関、或いは、各種の熱サイクル機関等の如く、任意の燃焼設備又は熱機関に供給される。
【０００４】
また、近年の熱分解ガス化システムとして、例えば、熱分解ガスを生成する熱分解炉と、クラッキング装置等の高温分解処理装置と、熱分解ガスを洗浄・冷却するガス洗浄装置とを備えた構成のものが知られている。熱分解炉は、廃棄物又は石炭等の固体又は液体燃料を低酸素又は無酸素状態の炉内焼成雰囲気において熱分解する。高温分解処理装置は、熱分解ガスのタール分及びオイル分等を高温分解し、ガス洗浄装置は、熱分解ガスの硫黄分、ダスト、塩素分等を除去するとともに、熱分解ガスを急冷する。高温分解処理及び洗浄・冷却処理を受けた熱分解ガスは、精製燃料ガスとして各種の燃焼設備又は熱機関に供給される。
【０００５】
【発明が解決しようとする課題】
この種のガス化システムにおいては、熱分解ガスが保有する多大な顕熱は、洗浄・浄化装置又はガス洗浄装置の洗浄・浄化工程において失われ、これは、システム全体の熱効率の低下をもたらす。このような熱損失を回避すべく、高温の水蒸気を熱分解ガスと混合し、高温水蒸気の水蒸気改質作用により熱分解ガス中の炭化水素を改質する水蒸気改質法の適用が検討されている。炭化水素の水蒸気改質反応は、一般に吸熱反応であり、改質反応に要する反応熱は、外燃式又は内燃式の燃焼装置により改質反応域に供給される。
【０００６】
近年、水蒸気を７００℃以上の高温域に連続的に加熱することができる装置が、本願発明者等によって開発され、高温不活性ガス又は熱媒体としての水蒸気の各種用途が検討されている。殊に、凝縮の結果として水を生成するにすぎない高温水蒸気は、窒素ガス等の不活性ガスと異なり、冷却・凝縮後の処理を簡素化する上で極めて有利である。しかも、７００℃以上の高温の水蒸気は、多大な顕熱を保有するので、水蒸気自体が保有する顕熱により上記改質反応の反応熱を少なくとも部分的に供給することができる。
【０００７】
しかしながら、上記熱分解ガスの水蒸気改質反応に要する反応熱は、７００℃を超える高温水蒸気によっても十分に確保し難く、従って、改質反応に要する熱量の不足を簡易な手段により補うことができる構成を開発すべき必要が生じている。
【０００８】
また、本発明者等は、上記廃棄物ガス化溶融システムにおいて、比較的高酸素濃度の高温空気により廃棄物をガス化溶融する過程で比較的多量の煤が炉内に発生する現象を既に確認しており、このため、このような煤の発生を効率的に抑制する対策を構ずべき必要性を認識している。
【０００９】
本発明は、かかる課題に鑑みてなされたものであり、その目的とするところは、ガス化炉又は熱分解炉の熱分解ガスを比較的良質の燃料ガスに改質することができる固体又は液体燃料のガス化装置及びガス化方法を提供することにある。
【００１０】
本発明は又、燃焼装置等の内熱又は外熱手段を格別に設けることなく、熱分解ガス中の炭素化合物の水蒸気改質反応に要する十分な熱を確保することができる固体又は液体燃料のガス化装置及びガス化方法を提供することにある。
【００１２】
【課題を解決するための手段及び作用】
本発明者は、上記目的を達成すべく鋭意研究を重ねた結果、７００℃以上の高温水蒸気及び高温空気を固体又は液体燃料の熱分解域及び熱分解ガスの改質域の少なくとも一方に導入することにより、比較的多量の一酸化炭素及び水素を含む所望の高温粗燃料ガスを生成し得る事実を確認するとともに、上記高温空気に加えて上記高温水蒸気をガス化炉内に導入することにより、ガス化溶融反応に伴う煤の発生を顕著に抑制し得る現象を見出し、かかる知見に基づき、本願発明を達成したものである。
【００１３】
即ち、本発明によれば、  低酸素又は無酸素状態のガス化炉又熱分解炉の熱分解域における固体又は液体燃料の蒸し焼きにより熱分解ガスを生成するガス化炉又は熱分解炉を備えた固体又は液体燃料のガス化装置において、
水又は低温水蒸気と低温空気とを７００℃以上の高温水蒸気及び高温空気に加熱する水蒸気及び空気の加熱装置と、
前記ガス化炉又は熱分解炉の熱分解域の熱分解ガスを導入可能な中空の改質域を備えた改質装置と、
前記改質域に導入された前記熱分解ガスが、該熱分解ガス中の炭素化合物と前記高温水蒸気及び高温空気との吸熱改質反応及び酸化発熱反応によって改質されるように、所定の重量比の前記高温水蒸気及び高温空気を前記改質域に導入する高温水蒸気及び高温空気の供給装置とを有することを特徴とする固体又は液体燃料のガス化装置が提供される。
【００１４】
本発明は又、  低酸素又は無酸素状態のガス化炉又熱分解炉の熱分解域における固体又は液体燃料の蒸し焼きにより熱分解ガスを生成する固体又は液体燃料のガス化方法において、
ガス化炉又は熱分解炉の熱分解ガスを中空の改質域に導入する工程と、
水又は低温水蒸気と低温空気とを７００℃以上の高温水蒸気及び高温空気に加熱して該高温水蒸気及び高温空気を前記改質域に導入し、前記高温水蒸気及び高温空気を前記熱分解ガスと混合して該熱分解ガスを改質する工程とを有し、
前記高温水蒸気及び高温空気と前記熱分解ガスとを混合する前記工程において、前記高温空気と前記熱分解ガス中の炭素化合物との発熱反応により発生した熱により、前記高温水蒸気及び前記炭素化合物の吸熱改質反応に要する熱を補うように、前記高温水蒸気及び高温空気の重量比を所定の範囲内に設定したことを特徴とする固体又は液体燃料のガス化方法を提供する。
本発明の上記構成によれば、高温の水蒸気及び空気が中空の改質域に導入される。高温水蒸気及び高温空気は、熱分解ガスに混合し、高温空気は、熱分解ガスと発熱反応し、高温水蒸気は、熱分解ガス中の炭素化合物と吸熱反応する。高温空気と熱分解ガス中の炭素化合物との発熱反応により発生した熱は、高温水蒸気及び炭素化合物の吸熱改質反応に要する熱を補うので、燃焼装置等の内熱又は外熱手段を格別に設けることなく、熱分解ガス中の炭素化合物の水蒸気改質反応に要する十分な熱が確保される。適当な比率の高温空気及び高温水蒸気を熱分解域又は改質域に導入することにより、熱分解ガスと高温空気及び高温水蒸気との反応が円滑に進行するので、高温空気及び高温水蒸気の相乗効果により比較的良質の高温粗燃料ガスを生成することができる。
【００１７】
本明細書において、「固体又は液体燃料」は、炭素化合物を含む廃棄物、石炭、バイオマス燃料、重質油等の固体、半固体又は液体の燃料を意味し、炭素化合物の概念は、炭化水素、有機炭素化合物、或いは、炭素を含む可燃性物質を包含する。また、「空気」は、純酸素、空気、或いは、酸素及び空気の混合気を包含するものであり、酸化剤として作用する流体を意味する。「低温空気」は、外界雰囲気の温度又は一般的な熱交換器によって加熱可能な温度、例えば、０℃〜５００℃の範囲の温度を有する「空気」を意味する。更に、「低温水蒸気」は、従来の水蒸気生成技術によって供給可能な範囲の温度及び圧力を有する水蒸気又は過熱水蒸気を意味する。
【００１８】
【発明の実施の形態】
本発明の好適な実施形態によれば、低温水蒸気は、低温空気と混合した後、水蒸気・空気加熱装置によって７００℃以上の高温に加熱され、熱分解域又は改質域に供給される。好ましくは、低温水蒸気及び低温空気は、混合制御装置の制御下に混合し、適切な重量比の低温水蒸気を含有する低温混合気として水蒸気・空気加熱装置に供給される。
【００１９】
本発明の他の好適な実施形態によれば、低温水蒸気は、水蒸気加熱装置によって７００℃以上の高温に加熱され、低温空気は、空気加熱装置によって７００℃以上の高温に加熱される。加熱後の高温水蒸気及び高温空気は、混合制御装置の制御下に混合し、適切な重量比の高温水蒸気を含有する高温混合気として熱分解域又は改質域に供給される。
【００２０】
好ましくは、混合制御装置は、水蒸気及び空気の混合比を任意の混合比に調節可能な混合制御弁又は複数の制御弁の集合体と、制御弁の混合比を可変設定可能な電子制御装置等の混合比制御手段とを備える。
【００２１】
本発明の更に他の好適な実施形態において、低温水蒸気は、水蒸気加熱装置によって７００℃以上の高温に加熱され、低温空気は、空気加熱装置によって７００℃以上の高温に加熱される。加熱後の高温水蒸気及び高温空気は、水蒸気供給路及び空気供給路を介して熱分解域又は改質域に夫々導入され、熱分解域又は改質域において混合する。
【００２２】
上記高温混合気、或いは、高温水蒸気及び高温空気は、熱分解域、改質域、或いは、熱分解域及び改質域の双方に導入される。高温水蒸気及び高温空気は、固体又は液体燃料及び熱分解ガス中の炭化水素と反応し、熱分解ガスは、炭化水素、水素及び一酸化炭素を含む改質ガスに改質され、高温の粗燃料ガスとして冷却装置及びガス洗浄・浄化設備に供給される。好ましくは、冷却装置は、高温粗ガスが保有する顕熱によって水を低温水蒸気に気化し、或いは、系外の水蒸気発生装置が生成した水蒸気を高温粗ガスの顕熱によって加熱する。これにより、高温粗ガスの顕熱を有効利用し、システム全体の熱効率を改善することができる。
【００２３】
本発明の好ましい実施形態によれば、上記加熱装置は、低温流体（低温空気、低温水蒸気又は低温混合気）に伝熱接触可能な熱交換装置と、該熱交換装置との伝熱接触により加熱された高温流体（高温空気、高温水蒸気又は高温混合気）を第１及び第２給気分流に分流する分流域と、可燃性物質を導入可能な燃焼域とを有する。第２給気分流は、上記熱分解域及び／又は改質域に供給され、第１給気分流は、燃焼域に流入する。熱交換装置、燃焼域及び分流域は、相互連通し、燃焼域の燃焼反応により生成した高温燃焼ガスは、熱交換装置を介して排気される。熱交換装置を構成する蓄熱体が、高温燃焼ガスに伝熱接触して蓄熱し、上記低温流体に伝熱接触して放熱する。好ましくは、熱交換装置は、燃焼ガスと低温流体とが交互に流通可能な多数の狭小流路を備えたハニカム型蓄熱体からなる。このような形式の加熱装置及びハニカム型蓄熱体の詳細は、例えば、特願平１０−１８９号（特開平１０−２４６４２８号公報）及び特願平５−６９１１号（特開平６−２１３５８５号公報））等に開示されている。なお、熱交換装置として、例えば、多数のペレット、ペブル又はボール形蓄熱体を収容した形式の蓄熱型熱交換器を使用しても良い。
【００２４】
本発明の他の好適な実施形態では、レキュペレータ、金属コイル又は金属フィン形式の熱交換器が前記加熱装置として使用され、熱交換器は、高温の粗燃料ガスと、水、低温水蒸気又は低温空気との顕熱交換により水、低温水蒸気又は低温空気を中温又は高温の水蒸気又は空気に加熱する。水は、噴霧手段等により微細な水滴を含むミストとして加熱装置に供給しても良い。なお、加熱装置として水蒸気ボイラーを使用し、水の加熱により上記高温水蒸気を生成することも可能である。
【００２５】
例えば、ガス化装置は、高温燃料ガスを低温燃料ガスに冷却する冷却装置を有し、冷却装置は、粗燃料ガスと低温水蒸気及び／又は低温空気との熱交換により低温水蒸気及び／又は低温空気を７００℃以上の温度に加熱する高温加熱用熱交換器、燃料ガスと低温水蒸気及び／又は低温空気との熱交換により低温水蒸気及び／又は低温空気を５００℃〜７００℃の温度に加熱する中温加熱用熱交換器、更には、燃料ガスと水との熱交換により低温水蒸気を生成する水蒸気生成用（低温加熱用）熱交換器を備える。なお、ガス化炉又は熱分解炉と冷却装置との間にセラミックフィルター等の脱塵装置を介装しても良い。
【００２６】
また、冷却装置は、３つの冷却器に分割しても良く、この場合、高温加熱用、中温加熱用及び水蒸気生成用（低温加熱用）の各熱交換器は、各冷却器に夫々収容される。変形例として、冷却装置は、２つの冷却器に分割され、高温加熱用及び中温加熱用の各熱交換器は第１冷却器に収容され、水蒸気加熱用熱交換器は下流側の第２冷却器に収容される。このように冷却装置を分割した場合、脱硫装置、脱塩装置、脱硝装置又は脱塵装置等を中温加熱用熱交換器と低温加熱用熱交換器との間に介装し、粗燃料ガスの冷却に伴って生成する粗燃料ガス中の酸等を除去することができる。
【００２７】
本発明によるガス化装置の精製燃料ガスは、例えば、燃焼設備又は熱機関の燃焼装置に主燃料として供給される。燃焼装置として、燃焼設備又は熱機関のバーナー又は燃焼器等を例示し得る。燃焼装置の熱エネルギーにより発電機を駆動することにより、電気エネルギーを系外の機器又は設備に供給することができる。例えば、施設内で発生した廃棄物を上記固体又は液体燃料として使用するとともに、上記ガス化装置にガスタービン装置及び発電機を組合せることにより、比較的小型のコジェネレーションシステムを提供することが可能となる。
【００２８】
本発明によるガス化装置の精製燃料ガスを燃焼設備又は熱機関の燃焼装置に補助燃料として供給し、これを燃焼装置の主燃料又は燃焼用空気に添加しても良い。例えば、上記構成のガス化装置を船舶等の施設内廃棄物の焼却装置として使用し、ガス化装置の精製燃料ガスを船舶等の内燃機関の主燃料又は燃焼用空気に添加することができる。このような構成によれば、船舶等の施設内の廃棄物を処分し、同時に、船舶等の燃料消費量を削減することが可能となる。
【００２９】
本発明の応用として、廃棄物又は石炭を上記固体又は液体燃料として使用した廃棄物ガス化システム又は石炭ガス化システムを提供することができる。本発明の更なる応用として、この種のシステムに対して発電装置を組合せ、これにより、廃棄物又は石炭を燃料とした複合発電システムを提供することが可能となる。
【００３０】
図１は、本発明の好適な実施形態に係る固体又は液体燃料ガス化装置のシステム・フロー図である。
固体又は液体燃料ガス化装置は、固体又は液体燃料を熱分解するガス化手段と、ガス化手段の高温粗燃料ガスを冷却する冷却器と、冷却した粗燃料ガスを精製するガス洗浄・浄化設備と、高温水蒸気及び高温空気をガス化手段の熱分解域又は改質域に供給する水蒸気・空気加熱装置とを備える。ガス化手段及び水蒸気・空気加熱装置は、ガス化設備を構成する。廃棄物又は石炭等の固体又は液体燃料が、燃料供給手段ＷＴによってガス化手段に供給されるとともに、水蒸気・空気加熱装置によって７００℃以上、好ましくは、８００℃以上の温度に加熱された高温水蒸気及び高温空気が、ガス化材且つ改質材としてガス化手段に供給される。固体又は液体燃料は、高温水蒸気及び高温空気の存在下にガス化手段において熱分解ガス及び残渣に熱分解する。熱分解ガス中の炭化水素は、高温水蒸気及び高温空気と反応し、熱分解ガスは、炭化水素、一酸化炭素及び水素を含む粗燃料ガスに改質される。炭化水素及び高温水蒸気の反応は、一般に下式(1) で示される吸熱反応であり、炭化水素及び高温空気の反応は、一般に下式(2) で示される発熱反応である。
【００３１】
ＣｘＨｘ＋Ｈ2 Ｏ→ＣＯ  ＋Ｈ2 ＋Ｈ2 Ｏ・・・・(1)
ＣｘＨｘ＋Ｏ2 ＋Ｎ2 →ＣＯ  ＋ＣＯ2 ＋Ｈ2 ＋Ｈ2 Ｏ＋Ｎ2 ・・・・(2)
【００３２】
高温水蒸気は、固体又は液体燃料の熱分解により生成した熱分解ガスと反応し、熱分解ガスは、比較的多量の一酸化炭素及び水素を含有する改質ガス（高温粗ガス）に改質される。炭化水素及び高温空気の発熱反応によって発生した熱は、炭化水素及び高温水蒸気の吸熱改質反応に要する熱として消費される。
【００３３】
高温粗ガスは、高温ガス給送路ＨＧを介して冷却器に供給される。給水管路ＷＳが冷却器に接続され、給水管路ＷＳの給水は、冷却器において高温粗ガスと熱交換して気化し、比較的低温、例えば、１５０℃〜２５０℃の温度の過熱水蒸気を生成する。低温水蒸気は、低温水蒸気供給路ＬＳを介して水蒸気・空気加熱装置に供給され、７００℃以上、好ましくは、８００℃以上の高温に加熱された後、上記の如く、ガス化手段に導入される。同時に、外気温相当温度の低温空気が、水蒸気・空気加熱装置に供給され、７００℃以上、好適には、８００℃以上の温度に加熱された後、ガス化手段に導入される。
【００３４】
冷却器において冷却した低温粗ガスは、低温ガス給送路ＬＧを介してガス洗浄・浄化装置に導入される。ガス洗浄・浄化装置は、低温粗ガス中の煤塵、硫黄、塩素及び重金属等の環境汚染物質を除去する除塵装置、脱硫装置、脱塩装置及び重金属除去装置等の各種洗浄・浄化装置を含み、低温粗ガスを比較的良質の燃料ガスに精製する。ガス浄化装置の精製ガス（燃料ガス）は、燃料ガス給送路ＦＧを介してエネルギー利用設備に供給される。エネルギー利用設備として、ガスタービン装置、ガスエンジン装置、ボイラー、工業炉又はディーゼルエンジン等の各種内燃機関又は燃焼設備を例示し得る。例えば、燃料ガス給送路ＦＧは、ガスタービン発電装置の内燃機関に接続され、ガスタービン装置の発電機は、内燃機関の燃焼作動により発電し、系外の設備又は機器に給電する。燃料ガスの少なくとも一部は、燃料ガス給送路ＲＧを介して水蒸気・空気加熱装置に供給され、燃焼する。水蒸気・空気加熱装置は、熱交換器を介して燃料ガスの燃焼熱を水蒸気及び空気に伝熱し、水蒸気及び空気を上記の如く高温に加熱する。
【００３５】
このように構成されたガス化装置は、固体又は液体燃料の熱分解により生成した熱分解ガスを高温空気及び高温水蒸気により高温の粗燃料ガスに改質し、高温粗ガスが保有する顕熱は、冷却器において低温水蒸気の生成に使用される。洗浄・浄化処理を受けた燃料ガスは、水蒸気・空気加熱装置の燃料として使用されるとともに、エネルギー利用設備の燃料として使用される。かくして、上記ガス化装置の構成によれば、固体又は液体燃料から燃料ガスを生成し且つ燃料ガスの燃焼反応により発電する廃棄物ガス化発電システム又は石炭ガス化発電システム等のガス化装置を提供し得る。
【００３６】
図２は、図１に示すガス化設備の構成を示すブロックフロー図である。
図２に示すガス化設備では、低温空気供給路ＬＡ、低温水蒸気供給路ＬＳ及び燃料ガス給送路ＲＧは、低温空気、低温水蒸気及び燃料ガスを水蒸気・空気加熱装置に供給し、燃料ガスは、加熱装置の燃焼域において燃焼する。低温水蒸気及び空気は、熱交換器（図示せず）を介して燃料ガスの燃焼熱を受熱し、７００℃以上、好適には、８００℃以上の高温に加熱される。加熱後の高温水蒸気及び高温空気は、ガス供給路ＭＧ１、ＭＧ２を介してガス化設備の熱分解ガス化炉及びガス改質装置に導入される。好ましくは、高温空気及び高温水蒸気の重量比は、２：８〜５：５の範囲に設定される。
【００３７】
熱分解ガス化炉に導入された高温空気及び高温水蒸気は、熱分解ガス化炉の炉内領域に低酸素濃度の焼成雰囲気を形成するとともに、固体又は液体燃料の蒸し焼きに要する顕熱を炉内雰囲気に供給する。固体又は液体燃料として、例えば、液体、半固体及び固体の多種の材質の廃棄物を含む混合廃棄物が、燃料供給手段ＷＴによってガス化炉内に導入される。廃棄物は、高温且つ低酸素濃度の炉内焼成雰囲気により蒸し焼きされ、熱分解ガス及び残渣に熱分解し、炭化水素を主成分とする熱分解ガスを生成する。ガス化炉の熱分解ガスは、熱分解ガス給送路ＴＧを介してガス改質装置の改質域に導入される。残渣は、燃焼作動中に炉外に連続的に搬出され、或いは、作動停止後に冷却し、水蒸気の凝縮水と一緒に炉外に排出される。
【００３８】
ガス改質装置の改質域に導入された熱分解ガスは、高温空気及び高温水蒸気と混合し、この結果、改質域において、熱分解ガス中の炭化水素と高温空気との発熱反応が進行するとともに、熱分解ガス中の炭化水素と高温水蒸気との吸熱改質反応が進行する。水蒸気による炭化水素の改質反応に要する熱は、高温水蒸気自体が保有する顕熱によって供給されるばかりでなく、炭化水素及び高温空気の反応により発生する反応熱によって供給される。改質域に生成した改質ガスは、高温粗ガスとして高温ガス給送路ＨＧに送出される。
【００３９】
このような実施形態によれば、高温水蒸気は、多大な顕熱を保有する熱媒体且つ不活性ガスとして熱分解ガス化炉に供給されるとともに、熱分解ガス中の炭化水素の改質反応に要する熱を改質域に供給する熱媒体且つ改質材としてガス改質装置に供給される。
【００４０】
図３は、図１に示すガス化設備の変形例を示すブロックフロー図である。
図３に示すガス化設備においては、水蒸気・空気加熱装置は、燃料ガスの燃焼熱により低温空気及び低温水蒸気を７００℃以上、好ましくは、８００℃以上、更に好ましくは、１０００℃以上の高温に加熱し、高温空気及び高温水蒸気をガス化炉に導入する。好ましくは、高温水蒸気及び高温空気の重量比は、２：８〜５：５の範囲に設定される。図３（Ａ）に示す構成では、高温空気及び高温水蒸気の混合気が、ガス供給路ＭＧを介してガス化炉に供給され、図３（Ｂ）に示す構成では、高温空気及び高温水蒸気は、ガス供給路ＨＡ、ＨＳを介してガス化炉に夫々供給され、ガス化炉の炉内領域で混合する。
【００４１】
ガス化炉の炉内に導入された高温空気は、固体又は液体燃料のガス化材として働き、固体又は液体燃料は、高温の空気に接触し、酸化発熱反応により溶融するとともに、熱分解ガスを生成する。溶融した灰分又は残渣は、ガス化炉の作動中又は停止後に炉外に搬出される。炉内に導入された高温水蒸気は、固体又は液体燃料のガス化溶融により多量の煤が発生するのを抑制するとともに、熱分解ガス中の炭化水素と水蒸気改質反応し、熱分解ガスを改質する。ガス化炉の炉内領域に生成した改質ガスは、高温の粗燃料ガスとして高温ガス給送路ＨＧに送出される。
【００４２】
このようなガス化設備においては、高温水蒸気は、固体又は液体燃料のガス化溶融に伴って発生し得る煤の発生を抑制するとともに、熱分解ガス中の炭化水素の改質反応に要する熱を供給する熱媒体且つ改質材としてガス化炉内に導入される。所望により、図１に示すガス改質装置を高温ガス給送路ＨＧに更に介装し、高温水蒸気及び高温空気をガス改質装置の改質域に導入しても良い。
【００４３】
図４は、図１に示すガス化設備の更なる変形例を示すブロックフロー図である。
図４に示すガス化設備は、外部加熱式の熱分解ガス化炉と、改質域を有するガス改質装置とを備える。水蒸気・空気加熱装置は、燃料ガスの燃焼熱により低温空気及び低温水蒸気を７００℃以上、好ましくは、８００℃以上の高温に加熱し、高温空気及び高温水蒸気をガス改質装置に導入する。高温空気及び高温水蒸気の重量比は、２：８〜５：５の範囲に設定される。
【００４４】
熱分解ガス化炉に導入された固体又は液体燃料は、熱分解ガス化炉の炉内領域において熱分解ガス及び残渣に熱分解し、熱分解ガスは、熱分解ガス給送路ＴＧを介してガス改質装置に導入される。熱分解ガスは、ガス改質装置の改質域において高温水蒸気及び高温空気と混合し、熱分解ガス中の炭化水素の水蒸気改質反応が改質域に生起し且つ進行する。炭化水素の水蒸気改質反応に要する熱は、高温水蒸気が保有する顕熱により供給されるとともに、高温空気及び炭化水素の反応熱により供給される。この結果、熱分解ガスは、比較的多量の一酸化炭素及び水素を含む高温の粗燃料ガスとして高温ガス給送路ＨＧに送出される。
【００４５】
図５は、本発明の他の好適な実施形態に係る固体又は液体燃料ガス化装置のシステム・フロー図である。
図５に示す実施形態では、ガス化装置は、高温粗ガスの顕熱により低温空気及び低温空気を加熱する冷却装置を備える。冷却装置は、高温粗ガス給送路ＨＧ及び低温ガス給送路ＬＧの間に介装される。冷却装置は、粗ガスの流動方向に順次整列配置した高温区画、中温区画及び低温区画を備えており、各区画には、粗ガスと伝熱接触可能な高温加熱用、中温加熱用及び水蒸気生成用の各熱交換器が配置される。所望により、セラミックフィルター等の脱塵装置が高温粗ガス給送路ＨＧに配置される。
【００４６】
給水管路ＷＳが水蒸気生成用熱交換器の流入ポートに接続され、給水管路ＷＳの給水は、粗ガスの熱を受熱して気化し、比較的低温（例えば、１５０℃〜２５０℃）の過熱水蒸気として、低温水蒸気供給路ＬＳに送出される。供給路ＬＳの低温水蒸気は、低温空気供給路ＬＡに導入され、外気温相当温度の低温空気と混合する。水蒸気及び空気の混合気（低温混合気）は、高温加熱用及び中温加熱用の各熱交換器の流入ポートに導入され、粗ガスの熱を受熱して更に加熱される。
【００４７】
高温粗ガスの流入側に位置する高温加熱用熱交換器は、低温混合気を７００℃以上、好ましくは、８００℃以上の高温に加熱し、冷却装置の中央部に位置する中温加熱用熱交換器は、低温混合気を５００℃以上、好ましくは、６００℃〜７００℃の範囲の温度（以下、「中温」という）に加熱する。高温粗ガスは、各区画において混合気及び給水と熱交換して順次降温し、低温粗ガスとして給送路ＬＧからガス洗浄・浄化装置に送出される。高温加熱用熱交換器により加熱された高温混合気は、高温混合気供給路ＨＭＧを介してガス化設備に供給され、中温加熱用熱交換器で加熱された中温混合気は、中温混合気供給路ＭＭＧを介してガス化設備に供給される。好ましくは、高温空気及び高温水蒸気の重量比は、２：８〜５：５の範囲に設定される。
【００４８】
図６は、図５に示すガス化設備の構成を示すブロックフロー図である。
中温混合気供給路ＭＭＧの下流端は、熱分解ガス化炉に接続される。中温混合気は、熱分解ガス化炉に導入され、熱分解ガス化炉の炉内領域に低酸素濃度の焼成雰囲気を形成するとともに、固体又は液体燃料の蒸し焼きに要する顕熱を炉内雰囲気に供給する。ガス化炉内の廃棄物は、熱分解ガス及び残渣に熱分解し、熱分解ガスは、熱分解ガス給送路ＴＧを介してガス改質装置の改質域に導入され、残渣は、炉外に排出される。
【００４９】
高温混合気供給路ＨＭＧの下流端は、ガス改質装置に接続され、高温混合気は、ガス改質装置の改質域に導入される。改質域では、熱分解ガス中の炭化水素と高温空気との発熱反応が進行するとともに、熱分解ガス中の炭化水素と高温水蒸気との吸熱改質反応が進行する。前述の実施形態と同様、水蒸気による炭化水素の改質反応に要する熱は、高温水蒸気自体が保有する顕熱によって供給されるばかりでなく、炭化水素及び高温空気の反応により発生する反応熱によっても供給される。改質域に生成した改質ガスは、高温粗ガスとして高温ガス給送路ＨＧに送出され、上記の如く、低温混合気（空気及び水蒸気）及び水と熱交換して冷却される。
【００５０】
このような実施形態によれば、高温水蒸気及び高温空気により廃棄物ガス化及び熱分解ガス改質を行うばかりでなく、改質ガスが保有する顕熱により、空気、水蒸気及び水を加熱し、システム全体の熱効率を改善することができる。所望により、高温及び中温区画と、低温区画とを別個の冷却器として構成しても良い。この場合、各冷却器を連通する流路に脱硫装置等を配置して粗燃料ガス中の酸等を除去することができる。
【００５１】
【実施例】
以下、図７乃至図１５を参照して、本発明に係るガス化装置及びガス化方法の実施例について詳細に説明する。
図７は、本発明の第１実施例に係るガス化装置の全体構成を示すシステム・フロー図である。
【００５２】
図７に示す廃棄物ガス化システムは、図２に示す基本構成のガス化設備１を備えており、ガス化設備１は、熱分解ガス化炉２及び改質器３を有する。熱分解ガス化炉２は、ー括投入型のバッチ式熱分解炉からなり、廃棄物を蒸し焼き可能な炉内領域（熱分解域）を備える。改質器３は、熱分解ガス化炉２の上部に配置された中空の改質域を有し、改質域は、熱分解ガス給送路ＴＧを介して熱分解ガス化炉２の熱分解域と連通する。
【００５３】
改質器３の改質域は、高温ガス給送路ＨＧを介して冷却器６に接続され、冷却器６は、低温ガス給送路ＬＧを介してガス洗浄・浄化装置７に接続される。ガス洗浄・浄化装置７は、燃料ガス給送路ＦＧを介してガスタービン装置等に接続される。
【００５４】
給水管路ＷＳが冷却器６の熱交換器に接続され、熱交換器は、低温水蒸気給送路ＬＳの上流端に接続される。低温水蒸気供給路ＬＳは、第１及び第２水蒸気流路ＬＳ１、ＬＳ２に分岐し、流路ＬＳ１、ＬＳ２の下流端は、混合制御弁５１、５２に夫々接続される。外界雰囲気の空気を供給可能な給気ファン６０が、低温空気供給路ＬＡに介装され、低温空気供給路ＬＡは、第１及び第２空気流路ＬＡ１、ＬＡ２に分岐する。流路ＬＡ１、ＬＡ２の下流端は、混合制御弁５１、５２に夫々接続される。混合制御弁５１、５２は、低温空気及び低温水蒸気を２：８〜５：５の範囲内の混合比（重量比）に混合する。
【００５５】
混合制御弁５１、５２の各吐出口は、低温混合気供給路ＳＡ1 、ＳＡ２の上流端に接続される。供給路ＳＡ1 、ＳＡ２の下流端は、水蒸気・空気加熱装置１０、１０の各流路切換装置２０に接続される。水蒸気・空気加熱装置１０、１０は、高温混合気供給路ＭＧ１、ＭＧ２の上流端に接続され、供給路ＭＧ１、ＭＧ２の下流端は、熱分解ガス化炉２及び改質器３の高温混合気導入口４、５に夫々接続される。
【００５６】
図８は、水蒸気・空気加熱装置１０の全体構成及び作動態様を示す概略断面図である。図８（Ａ）は、水蒸気・空気加熱装置１０の第１加熱工程を示し、図８（Ｂ）は、水蒸気・空気加熱装置１０の第２加熱工程を示す。
【００５７】
図８に示す如く、水蒸気・空気加熱装置１０は、対をなす第１及び第２加熱部１０Ａ、１０Ｂと、各加熱部を相互連通する連通部１０Ｃとから構成される。加熱部１０Ａは、第１熱交換装置１１及び第１燃焼域１３を有し、加熱部１０Ｂは、第２熱交換装置１２及び第２燃焼域１４を有する。第１及び第２燃焼域１３、１４は、熱交換装置１１、１２及び流路切換装置２０を介して低温混合気供給路ＳＡに交互に連通する。連通部１０Ｃは、水蒸気・空気加熱装置１０の中心軸線に対して対称の構造に形成され、突出部１６が、該中心軸線上において流路内方に突出する。燃料供給口４３、４４及び酸化剤吐出口８３、８４が、第１及び第２加熱部１０Ａ、１０Ｂに夫々配設される。燃料供給口４３、４４は、燃料供給路Ｆ１、Ｆ２を介して燃料ガス給送路ＲＧ（図７）に接続され、燃料ガスを燃焼域１３、１４内に交互に吐出ないし噴射する。酸化剤吐出口８３、８４は、酸化剤供給路OX１、OX２を介して酸化剤供給路OXG に接続され、所望により、酸化剤を燃焼域１３、１４に交互に供給する。
【００５８】
水蒸気・空気加熱装置１０は更に、燃料供給口４３、４４の燃料ガス吹込み量及び吹込み時期を制御する燃料供給制御装置４０と、酸化剤吐出口８３、８４の酸化剤供給量及び供給時期を制御する酸化剤供給制御装置８０とを有する。制御装置４０は、燃料供給路Ｆ１、Ｆ２に夫々介装された第１及び第２燃料供給制御弁４１、４２を備え、制御装置８０は、酸化剤供給路OX１、OX２に夫々介装された第１及び第２流量制御弁８１、８２を備える。酸化剤として、酸素濃度を調整した空気、或いは、酸素が一般に使用される。
【００５９】
第１及び第２熱交換器１１、１２は、多数のセル孔（狭小流路）を備えたハニカム構造のセラミックス製又は金属製蓄熱体からなり、各セル孔は、低温混合気（水蒸気／空気）及び燃焼排ガスが交互に通過可能な小寸法断面の流路を構成する。蓄熱体は、加熱部１０Ａ、１０Ｂの内部に組込み可能な全体形状及び寸法を有し、セル壁の壁厚及び各セル壁のピッチ（壁体間隔）は、好ましくは、蓄熱体の容積効率の最大値に相応し且つ０．７乃至１．０の範囲内の熱交換装置１１、１２の温度効率を確保し得る所望の壁厚及びピッチに設定される。更に好ましくは、セル壁の壁厚は、１．６mm以下の所定厚に設定され、セル壁ピッチは、５．０mm以下の所定値に設定される。
【００６０】
第１及び第２燃焼域１３、１４の間に位置する分流域１５は、高温混合気供給路ＭＧ１、ＭＧ２の上流端に接続され、第１及び第２熱交換装置１１、１２の各基端部は、流路切換装置２０を介して、低温混合気供給路ＳＡ１、ＳＡ２及び排気導出路ＥＸに接続される。流路切換装置２０は、第１給気開閉弁２１、第２給気開閉弁２２、第１排気開閉弁２３及び第２排気開閉弁２４を備える。給気開閉弁２１、２２は、給送路ＳＡ１、ＳＡ２の分岐連通管路２５を介して相互連通し、排気開閉弁２３、２４は、排気導出路ＥＸの分岐連通管路２６を介して相互連通する。
【００６１】
第１給気開閉弁２１及び第１排気開閉弁２３は、同時に開放し且つ同時に閉塞するように連動し、第２給気開閉弁２２及び第２排気開閉弁２４は、同時に開放し且つ同時に閉塞するように連動する。水蒸気・空気加熱装置１０の制御装置（図示せず）は、図８（Ａ）に示す第１加熱工程において、第１給気開閉弁２１及び第１排気開閉弁２３を開放し且つ第２給気開閉弁２２及び第２排気開閉弁２４を閉塞する。他方、水蒸気・空気加熱装置１０の制御装置は、図８（Ｂ）に示す第２加熱工程において、第１給気開閉弁２１及び第１排気開閉弁２３を閉塞し且つ第２給気開閉弁２２及び第２排気開閉弁２４を開放する。
【００６２】
ハニカム型蓄熱体及び水蒸気・空気加熱装置の各部構成は、特願平５−６９１１号（特開平６−２１３５８５号公報）及び特願平１０−１８９号（特開平１０−２４６４２８号公報）等に詳細に記載されているので、更なる詳細な説明は、省略する。
【００６３】
次に、上記構成の廃棄物ガス化システムの作動について、説明する。
図７に示す如く、廃棄物は、燃料供給手段ＷＴによって熱分解ガス化炉２の熱分解域に導入される。高温混合気供給路ＭＧ１の高温混合気が、導入口４から炉内に導入され、廃棄物を蒸し焼き可能な低酸素濃度の高温焼成雰囲気が、熱分解域に形成される。廃棄物は、残渣及び熱分解ガスに熱分解し、炉底部に堆積した廃棄物の焼却残渣は、ガス化炉２の作動中又は冷却後に炉外に搬出される。
【００６４】
熱分解ガスは、熱分解ガス給送路ＴＧを介して改質器３の改質域に流入し、高温混合気供給路ＭＧ２の高温混合気が、導入口５から改質域に導入される。改質域の熱分解ガスは、高温混合気と混合し、この結果、熱分解ガス中の炭化水素と高温空気との発熱反応が進行するとともに、熱分解ガス中の炭化水素と高温水蒸気との吸熱改質反応が進行する。改質域に生成した改質ガスは、高温の粗燃料ガスとして高温ガス給送路ＨＧから冷却器６に導入される。
【００６５】
冷却器６において冷却した低温の粗燃料ガスは、低温ガス給送路ＬＧを介してガス洗浄・浄化装置７に導入され、除塵、脱硫、脱塩及び重金属除去等の洗浄・浄化処理を受けた後、精製燃料ガスとして燃料ガス給送路ＦＧ、ＲＧに送出される。例えば、６０乃至８０％の重量比の燃料ガスは、燃料ガス給送路ＦＧを介して後続のエネルギー利用設備に供給され、４０乃至２０％の重量比の燃料ガスは、混合気加熱用燃料として燃料ガス給送路ＲＧから水蒸気・空気加熱装置１０に供給される。
【００６６】
冷却器６の熱交換器において加熱された給水管路ＷＳの給水は、低温水蒸気として気化し、低温水蒸気供給路ＬＳに送出される。低温水蒸気は、混合制御弁５１、５２によって低温空気供給路ＬＡの低温空気と混合した後、低温混合気供給路ＳＡ１、ＳＡ２から水蒸気・空気加熱装置１０の流路切換装置２０に供給される。
【００６７】
流路切換装置２０は、上記第１加熱工程において、低温混合気を第１燃焼域１３に導入し且つ第２燃焼域１４の燃焼排ガスを排気導出路ＥＸに導出し（図８Ａ）、第２加熱工程において、低温混合気を第２燃焼域１４に導入し且つ第１燃焼域１３の燃焼排ガスを排気導出路ＥＸに導出する（図８Ｂ）。
【００６８】
第１加熱工程（図８Ａ）において、燃料供給制御装置４０は、燃料ガス給送路ＲＧの燃料ガスを第２燃焼域１４に吹込む。所望により、酸化剤供給制御装置８０は、酸化剤を第２燃焼域１４に供給する。低温混合気は、第１熱交換装置１１を流通する間に７００℃以上、好適には、８００℃以上に加熱される。高温の混合気流Ｈは、分流域１５に流入し、分流域１５において、第１及び第２分流Ｈ１：Ｈ２に分流する。第２分流Ｈ２は、高温混合気供給路ＭＧに送出され、第１分流Ｈ１は、第２燃焼域１４に流入し、燃料ガスと混合して燃焼反応し、高温の燃焼排ガスを第２燃焼域１４に生成する。燃焼排ガスは、第２熱交換装置１２、第２給排路Ｌ２及び第１排気開閉弁２３を介して排気ファン３０（図７）に誘引され、排気路ＥＧ及び排気口３１から系外に排気される。燃焼排ガスは、第２熱交換装置１２を通過する際に第２熱交換装置１２の蓄熱体と伝熱接触し、燃焼排ガス流が保有する顕熱は、該蓄熱体に蓄熱される。
【００６９】
第２加熱工程（図８Ｂ）において、低温混合気は、第２熱交換装置１２を流通する間に上記高温域に加熱される。高温混合気流Ｈは、分流域１５に流入し、分流域１５において、第１及び第２分流Ｈ１：Ｈ２に分流する。第２分流Ｈ２は、高温混合気供給路ＭＧに送出され、第１分流Ｈ１は、第１燃焼域１３に流入し、制御装置４０、８０は、燃料ガス及び酸化剤を第１燃焼域１３に供給する。第１分流Ｈ１は、燃料ガスと混合して燃焼反応し、高温の燃焼排ガスを第１燃焼域１３に生成する。燃焼排ガスは、第１熱交換装置１１、第１給排路Ｌ１及び第２排気開閉弁２４を介して排気ファン３０（図７）に誘引され、排気路ＥＧ及び排気口３１から系外に排気される。燃焼排ガスは、第１熱交換装置１１を通過する際に第１熱交換装置１１の蓄熱体と伝熱接触し、燃焼排ガス流が保有する顕熱は、該蓄熱体に蓄熱される。
【００７０】
水蒸気・空気加熱装置１０は、１２０秒以下、好適には、６０秒以下、更に好適には３０秒以下の所定時間に設定された所定の時間間隔で交互に第１又は第２加熱工程に切換えられる。このため、第２分流Ｈ２は、連続的に高温混合気供給路ＭＧに送出され、図７に示す如く、高温混合気供給路ＭＧ１、ＭＧ２を介して熱分解ガス化炉２及び改質器３に夫々供給され、熱分解域の高温焼成雰囲気及び改質域の水蒸気改質反応を維持する。
【００７１】
図９は、図７に示す実施例の変形例を示すガス化装置のシステム・フロー図である。
図９に示す廃棄物ガス化システムは、単一の水蒸気・空気加熱装置１０及び混合制御弁５０を備えており、加熱装置１０の高温混合気を分流する分配制御弁７０が、高温混合気供給路ＭＧの下流端に配設される。分配制御弁７０の第１吐出口は、第１混合気供給路ＭＧ１を介して導入口４と連通し、分流制御弁７０の第２吐出口は、第２混合気供給路ＭＧ２を介して導入口５と連通する。分配制御弁７０は、所定割合の高温混合気を熱分解ガス化炉２の熱分解域に供給し、残余の割合の高温混合気を改質器３の改質域に供給する。その他の廃棄物ガス化システムの構成は、図７に示すシステム構成と実質的に同一である。
【００７２】
図１０は、図７に示す実施例の更なる変形例を示すガス化装置のシステム・フロー図である。
図１０に示す廃棄物ガス化システムは、低温空気を加熱する空気加熱装置１０Ａと、低温水蒸気を加熱する水蒸気加熱装置１０Ｂとを備える。空気加熱装置１０Ａの流路切換装置２０は、低温空気供給路ＬＡに接続され、空気加熱装置１０の分流域１５は、高温空気供給路ＨＡに接続される。給気ファン６０が低温空気供給路ＬＡに介装され、分配制御弁７１が、供給路ＨＡの下流端に接続される。他方、水蒸気加熱装置１０Ｂの流路切換装置２０は、低温水蒸気供給路ＬＳに接続される。水蒸気加熱装置１０の分流域１５は、高温水蒸気供給路ＨＳに接続され、分配制御弁７２が、高温水蒸気供給路ＨＳの下流端に接続される。
【００７３】
分配制御弁７１の第１及び第２吐出口は、第１及び第２高温空気流路ＨＡ１、ＨＡ２に接続され、分配制御弁７２の第１及び第２吐出口は、第１及び第２の高温水蒸気流路ＨＳ１、ＨＳ２に接続される。第１の高温空気流路及び高温水蒸気流路ＨＡ１、ＨＳ１は、熱分解ガス化炉２の熱分解域と連通し、分配制御弁７１、７２は、所定割合の高温空気及び高温水蒸気を導入口４Ａ、４Ｂから熱分解域に導入する。第２の高温空気流路及び高温水蒸気流路ＨＡ２、ＨＳ２は、改質器３の改質域と連通し、分配制御弁７１、７２は、残余の割合の高温空気及び高温水蒸気を導入口５Ａ、５Ｂから改質域に導入する。熱分解域及び改質域に導入された高温空気及び高温水蒸気は、熱分解域及び改質域において混合する。その他の廃棄物ガス化システムの構成は、図７に示すシステム構成と実質的に同一である。
【００７４】
図１１は、本発明の第２実施例に係るガス化装置の全体構成を示すシステム・フロー図である。図１１において、上記第１実施例の各構成要素と実質的に同一又は同等の構成要素については、同一の参照符号が付されている。
【００７５】
図１１に示す廃棄物ガス化システムは、図３に示す基本構成の廃棄物ガス化設備１を備える。ガス化設備１は、ペブル床ガス化炉２からなり、多数の球形セラミックス( ペブル) により構成されるペブル床８を備える。ペブル床８は、例えば、直径２０〜５０ｍｍ程度のアルミナボールの充填層又は積層体からなり、ペブル床８の上方には、廃棄物を熱分解可能な熱分解域が画成される。ガス化設備１は、廃棄物を装入可能な燃料供給手段ＷＴを備え、所望により適当な寸法又は粒度に粉砕された廃棄物が、供給手段ＷＴによってガス化炉２内に導入される。１０００℃以上の高温混合気（空気及び水蒸気）が、熱分解域に導入され、高温混合気は、廃棄物を熱分解し、溶融する。球形セラミックスは、高温混合気によって加熱され且つ高温混合気の顕熱を蓄熱し、廃棄物に伝熱接触して廃棄物の溶融ガス化反応を促進する。廃棄物の溶融スラグは、球形セラミックスの間隙を流下してスラグ・ガス分離域９に流入する。分離域９の底部に滞留した溶融スラグは、炉外に抽出され、冷却・固化し、路盤材等の建築材料又は土木材料等として再利用される。
【００７６】
高温混合気による廃棄物の溶融過程で発生した熱分解ガスは、ペブル床８のセラミックス球の間隙を通過し、高温粗ガスとして分離域９から高温ガス給送路ＨＧに送出される。給送路ＨＧの高温粗ガスは、冷却器６、低温ガス給送路ＬＧ及びガス洗浄・浄化装置７を流通し、低温の精製燃料ガスとして燃料ガス給送路ＦＧ、ＲＧに送出される。給送路ＦＧの燃料ガスは、ガスタービン装置等のエネルギー利用設備に供給され、給送路ＲＧの燃料ガスは、水蒸気・空気加熱装置１０に供給される。冷却器６内の熱交換器は、高温粗ガスが保有する顕熱によって給水管路ＷＳの給水を低温水蒸気に気化し、低温水蒸気は、混合制御弁５０において低温空気供給路ＬＡの低温空気と混合した後、水蒸気・空気加熱装置１０の流路切換装置２０に供給される。混合制御弁５０は、低温水蒸気及び低温空気を２：８〜５：５の範囲内の混合比（重量比）に混合する。
【００７７】
水蒸気・空気加熱装置１０の構成は、上記第１実施例の水蒸気・空気加熱装置の構成と実質的に同一であり、第１加熱工程（図８Ａ）及び２加熱工程（図８Ｂ）を所定時間毎、例えば、６０秒以下の時間間隔で交互に反復実施し、これにより、低温混合気供給路ＳＡの低温混合気を１０００℃以上の高温に連続的に加熱し、高温混合気供給路ＭＧに送出する。供給路ＭＧは、高温混合気をガス化炉２内に導入する。高温混合気は、熱分解域の廃棄物をガス化溶融し、廃棄物を溶融スラグと熱分解ガスとに熱分解する。混合気中の高温水蒸気は、廃棄物のガス化溶融により多量の煤が発生するのを抑制するとともに、熱分解ガス中の炭化水素と水蒸気改質反応し、熱分解ガスを改質する。
【００７８】
図１２は、図１１に示す実施例の変形例を示すガス化装置のシステム・フロー図である。
図１２に示す廃棄物ガス化システムは、図１０に示す実施例と同様、低温空気を加熱する空気加熱装置１０Ａと、低温水蒸気を加熱する水蒸気加熱装置１０Ｂとを備える。空気加熱装置１０Ａの流路切換装置２０は、給気ファン６０を備えた低温空気供給路ＬＡに接続され、空気加熱装置１０の分流域１５は、高温空気供給路ＨＡに接続される。水蒸気加熱装置１０Ｂの流路切換装置２０は、低温水蒸気供給路ＬＳに接続され、水蒸気加熱装置１０の分流域１５は、高温水蒸気供給路ＨＳに接続される。
【００７９】
供給路ＨＡ、ＨＳの高温空気及び高温水蒸気は夫々、導入口４Ａ、４Ｂから熱ガス化炉２内に導入される。高温空気及び高温水蒸気は、上記の如く、熱分解域の廃棄物をガス化溶融し、廃棄物を溶融スラグ及び熱分解ガスに熱分解し、高温水蒸気は、煤の発生を抑制するとともに、熱分解ガス中の炭化水素と反応し、熱分解ガスを改質する。その他の廃棄物ガス化システムの構成は、図１１に示すシステム構成と実質的に同一である。
【００８０】
図１３は、図１１に示す実施例の更なる変形例を示すガス化装置のシステム・フロー図である。
図１３に示す廃棄物ガス化システムは、高温側の混合制御弁５５を備える点にいて、図１２に示す構成と相違する。高温空気供給路ＨＡ及び高温水蒸気供給路ＨＳが混合制御弁５５に接続され、高温空気及び高温水蒸気は、所定の混合比で混合する。空気及び水蒸気の高温混合気は、高温混合気供給路ＭＧを介してガス化設備１に供給され、導入口４から熱分解域に導入される。その他の構成は、図１２に示すシステム構成と同一であるので、更なる詳細な説明は、省略する。
【００８１】
図１４は、本発明の第３実施例に係るガス化装置の全体構成を示すシステム・フロー図である。図１４において、上記第１及び第２実施例の各構成要素と実質的に同一又は同等の構成要素については、同一の参照符号が付されている。
【００８２】
図１４に示す廃棄物ガス化システムは、熱分解炉２及び改質器３を含むガス化設備１を備えるとともに、冷却器６、ガス洗浄・浄化装置７及び水蒸気・空気加熱装置１０を備える。ガス化設備１の構成は、図４に示す基本構成に相当する。熱分解炉２は、酸素濃度制御手段（図示せず）を備えた外部加熱式ロータリーキルンからなり、ロータリーキルンの熱分解域は、酸素濃度制御手段の制御下に低酸素状態又は無酸素状態の炉内焼成雰囲気に維持・管理される。熱分解炉２の前処理装置は、シュレッダーダスト化工程、都市ゴミの破砕、選別及び乾燥工程、或いは、汚泥の沈降分離、脱水及び乾燥工程等を実施する公知の手段を備えており、熱分解効率を向上すべく、例えば１５０mm以下の寸法の砕片に廃棄物を破砕した後、廃棄物の砕片を熱分解炉２の廃棄物装入部に投入する。熱分解域の廃棄物は、所謂蒸し焼き状態の炉内焼成雰囲気にて約５００〜６００℃程度に加熱され、熱分解反応の進行により熱分解ガス及び残渣に分解する。熱分解ガス及び残渣は、分離部において相互分離し、残渣は、残渣取出装置、有価金属選別装置、溶融炉等（図示せず）に導入され、他方、熱分解ガスは、改質器３の改質域に導入される。
【００８３】
改質器３の改質域は、高温ガス給送路ＨＧを介して冷却器６に接続され、冷却器６は、低温ガス給送路ＬＧを介してガス洗浄・浄化装置７に接続される。ガス洗浄・浄化装置６は、燃料ガス給送路ＦＧを介してガスタービン装置等のエネルギー利用設備に接続される。
【００８４】
給水管路ＷＳが冷却器６の熱交換器に接続され、熱交換器は、低温水蒸気供給路ＬＳの上流端に接続される。低温水蒸気供給路ＬＳの下流端は、混合制御弁５０の第１流入口に接続される。外界雰囲気の空気を供給可能な給気ファン６０を備えた低温空気供給路ＬＡが、混合制御弁５０の第２流入口に接続され、低温混合気供給路ＳＡが、混合制御弁５０の吐出口に接続される。混合制御弁５０は、低温空気及び低温水蒸気を２：８〜５：５の範囲内の混合比（重量比）に混合し、低温空気及び低温水蒸気の混合気を水蒸気・空気加熱装置１０に供給する。
【００８５】
水蒸気・空気加熱装置１０は、上記各実施例の水蒸気・空気加熱装置と実質的に同一の構造を有し、第１加熱工程（図８Ａ）及び２加熱工程（図８Ｂ）を所定時間毎、例えば、６０秒以下の時間間隔で交互に反復実施することにより、低温混合気供給路ＳＡの低温混合気を７００℃以上、好適には、８００℃以上の高温に連続的に加熱し、高温混合気供給路ＭＧに送出する。供給路ＭＧは、高温混合気を改質器３に導入し、高温混合気は、改質域の熱分解ガスと混合する。この結果、熱分解ガス中の炭化水素と高温空気との発熱反応が進行するとともに、熱分解ガス中の炭化水素と高温水蒸気との吸熱改質反応が進行する。改質域に生成した改質ガスは、高温の粗燃料ガスとして高温ガス給送路ＨＧから冷却器６に導入される。その他のシステム構成は、前述の各実施例と実質的に同一であるので、更なる詳細な説明は、省略する。
【００８６】
図１５は、本発明の第４実施例に係るガス化装置の全体構成を示すシステム・フロー図である。図１５において、上記各実施例の各構成要素と実質的に同一又は同等の構成要素については、同一の参照符号が付されている。
【００８７】
図１５に示す廃棄物ガス化システムは、図５及び図６に示す基本構成を有するガス化設備１を備えており、ガス化設備１は、熱分解ガス化炉２及び改質器３を有する。熱分解ガス化炉２は、ー括投入型のバッチ式熱分解炉からなり、熱分解ガス化炉２の熱分解域は、熱分解ガス給送路ＴＧを介して改質器３の改質域と連通する。また、改質器３の改質域は、高温混合気供給路ＨＭＧを介して、高温加熱用熱交換器６１に接続され、ガス化炉２の熱分解域は、中温混合気供給路ＭＭＧを介して、中温加熱用熱交換器６２に接続される。
【００８８】
冷却装置６は、上流側から順に配列した高温区画６ａ、中温区画６ｂ及び低温区画６ｃを備える。高温区画６ａは、高温ガス給送路ＨＧを介して改質器３と連通する。所望により、セラミックフィルター等の脱塵装置が、高温ガス給送路ＨＧに介装される。高温区画６ａ及び中温区画６ｂには、高温加熱用及び中温加熱用の各熱交換器６１、６２が夫々配置され、低温区画６ｃには、水蒸気生成用熱交換器６３が配置される。熱交換器６１、６２は、０．８以上、好ましくは、０．９以上の温度効率を発揮するプレートフィン型又はフィンチューブ型熱交換器からなり、熱交換器６３は、粗ガスとの熱交換により水蒸気を気化する汎用的な気−液・熱交換器からなる。
【００８９】
高温ガス給送路ＨＧの高温粗ガスは、少なくとも８００℃、一般には、９００℃以上の温度を有し、高温粗ガスは、熱回収可能な多大な顕熱を保有する。冷却装置６に流入した高温粗ガスは、熱交換器６１と伝熱接触し、低温混合気供給路ＳＡ１の低温混合気を７００℃以上、好ましくは、８００℃以上の高温に加熱した後、熱交換器６２と伝熱接触し、低温混合気供給路ＳＡ２の低温混合気を５００℃以上、好ましくは、６００℃以上の中温に加熱する。熱交換器６１、６２を通過して降温した粗ガスは、熱交換器６３と更に伝熱接触し、給水管路ＷＳの給水を１５０℃〜２５０℃程度の低温水蒸気に気化した後、低温ガス給送路ＬＧを介してガス洗浄・浄化装置７に供給され、洗浄・浄化処理を受けた後、燃料ガス給送路ＦＧに送出される。
【００９０】
熱交換器６３の低温水蒸気は、低温水蒸気供給路ＬＳに送出され、混合制御弁５０にて外気温相当温度の低温空気と混合した後、低温混合気供給路ＳＡ１：ＳＡ２を介して、熱交換器６１、６２に夫々導入され、上記の如く、高温及び中温混合気に加熱される。高温空気及び高温水蒸気の混合比（重量比）は、２：８〜５：５の範囲に設定される。
【００９１】
熱交換器６２の中温混合気は、供給路ＭＭＧから熱分解ガス化炉２の熱分解域に導入され、廃棄物を残渣及び熱分解ガスに熱分解し、熱交換器６１の高温混合気は、供給路ＨＭＧから改質器３に導入され、熱分解ガスを粗燃料ガスに改質する。
【００９２】
本実施例によれば、ガス洗浄・浄化装置７により精製した全燃料ガスをガスタービン装置等のエネルギー利用設備に供給し得るとともに、高温粗ガスの廃熱を効果的に回収して低温混合気を高温混合気及び中温混合気に加熱するので、システム全体の熱効率を向上することができる。
【００９３】
以上、本発明の好適な実施例について詳細に説明したが、本発明は上記実施例に限定されるものではなく、特許請求の範囲に記載された本発明の範囲内で種々の変形又は変更が可能である。
【００９４】
例えば、上記各実施例の記載における「廃棄物」の用語を「微粉炭」、「微粉炭及び一次空気」又は「石炭」に置換することにより、上記各実施例のシステムを石炭ガス化装置として把握し得る。この場合、微粉炭等の石炭は、上記燃料供給手段ＷＴによってガス化設備１に供給され、ガス化設備１は、石炭ガス化装置として機能する。石炭ガス化ガスは、高温水蒸気及び高温空気により改質され、しかる後、冷却器６及びガス洗浄・浄化装置７により精製され、精製燃料ガスとして水蒸気・空気加熱装置１０及びエネルギー利用設備に供給される。
【００９５】
また、上記各実施例における水蒸気・空気加熱装置１０の各部構造、例えば、流路切換装置２０の弁型式、分流域１５の構造等については、適宜変更することが可能である。例えば、流路切換装置２０として、４方弁型式の弁機構を採用しても良く、また、分流域１５は、第１燃焼域１３及び第２燃焼域１４を相互連通可能な連通路及び分流制御弁により形成しても良い。
【００９６】
更に、高温粗ガスにより水蒸気を加熱する手段として、例えば、特願平１０−２４１４４号（特開平１１−２２３４８２号公報）に開示された熱交換システムを採用しても良い。このような熱交換システムは、上記冷却器の低温水蒸気を加熱する手段として使用され、或いは、系外の水蒸気生成手段にて生成した低温水蒸気を加熱する手段として使用される。熱交換システムにより加熱された水蒸気は、上記水蒸気・空気加熱装置によって７００℃以上の高温に更に加熱される。
【００９７】
また、上記ガス化設備の高温粗ガスを冷却せず、これを高温ガスとして工業炉等の燃焼設備又は熱機関に直に供給しても良い。この場合、水蒸気発生手段及び水蒸気・空気加熱装置には、これら装置の燃焼用燃料が、系外の燃料供給設備から別途供給される。
【００９８】
更には、高温区画、中温区画及び低温区画を備えた上記構成の冷却装置（図１５）を２乃至３の冷却器に分割し、例えば、粗ガス中の硫黄分等を除去する脱硫装置等を中温区画の熱交換器（６２）と低温区画の熱交換器（６３）との間に介装しても良い。
【００９９】
【発明の効果】
以上説明した如く、本発明によれば、高温の水蒸気及び空気が改質域に導入され、高温空気は、熱分解ガスと発熱反応し、高温水蒸気は、熱分解ガス中の炭素化合物と吸熱反応する。このような固体又は液体燃料のガス化装置及びガス化方法によれば、ガス化炉又は熱分解炉の熱分解ガスを比較的良質の燃料ガスに改質することができる。
【０１００】
また、高温空気と熱分解ガス中の炭素化合物との発熱反応により発生した熱によって高温水蒸気及び炭素化合物の吸熱改質反応に要する熱を補う本発明の構成によれば、燃焼装置等の内熱又は外熱手段を格別に設けることなく、熱分解ガス中の炭素化合物の水蒸気改質反応に要する十分な熱を確保することができる。
【図面の簡単な説明】
【図１】本発明の好適な実施形態に係るガス化装置のシステム・フロー図である。
【図２】図１に示すガス化設備の構成を示すブロックフロー図である。
【図３】図１に示すガス化設備の変形例を示すブロックフロー図である。
【図４】図１に示すガス化設備の更なる変形例を示すブロックフロー図である。
【図５】本発明の他の好適な実施形態に係るガス化装置のシステム・フロー図である。
【図６】図５に示すガス化設備の構成を示すブロックフロー図である。
【図７】本発明の第１実施例に係るガス化装置の全体構成を示すシステム・フロー図である。
【図８】図７に示す水蒸気・空気加熱装置の全体構成及び作動態様を示す概略断面図であり、図８（Ａ）は、水蒸気・空気加熱装置の第１加熱工程を示し、図８（Ｂ）は、水蒸気・空気加熱装置の第２加熱工程を示す。
【図９】図７に示す実施例の変形例を示すガス化装置のシステム・フロー図である。
【図１０】図７に示す実施例の更なる変形例を示すガス化装置のシステム・フロー図である。
【図１１】本発明の第２実施例に係るガス化装置の全体構成を示すシステム・フロー図である。
【図１２】図１１に示す実施例の変形例を示すガス化装置のシステム・フロー図である。
【図１３】図１１に示す実施例の更なる変形例を示すガス化装置のシステム・フロー図である。
【図１４】本発明の第３実施例に係るガス化装置の全体構成を示すシステム・フロー図である。
【図１５】本発明の第４実施例に係るガス化装置の全体構成を示すシステム・フロー図である。
【符号の説明】
１  ガス化設備
２  熱分解ガス化炉、ガス化炉、熱分解炉
３  改質器
６  冷却器、冷却装置
７  ガス洗浄・浄化装置
１０  水蒸気・空気加熱装置
１０Ａ  空気加熱装置
１０Ｂ  水蒸気加熱装置
６１：６２：６３  熱交換器
ＬＡ  低温空気供給路
ＬＳ  低温水蒸気供給路
ＳＡ  低温混合気供給路
ＭＧ  ガス供給路、高温混合気供給路
ＨＭＧ  高温混合気供給路
ＭＭＧ  中温混合気供給路
ＨＡ  ガス供給路、高温空気供給路
ＨＳ  ガス供給路、高温水蒸気供給路
ＴＧ  熱分解ガス給送路
ＨＧ  高温ガス給送路
ＬＧ  低温ガス給送路
ＲＧ：ＦＧ  燃料ガス給送路
【図１】
0004037599.tif 000002
【図２】
0004037599.tif 000003
【図３】
0004037599.tif 000004
【図４】
0004037599.tif 000005
【図５】
0004037599.tif 000006
【図６】
0004037599.tif 000007
【図７】
0004037599.tif 000008
【図８】
0004037599.tif 000009
【図９】
0004037599.tif 000010
【図１０】
0004037599.tif 000011
【図１１】
0004037599.tif 000012
【図１２】
0004037599.tif 000013
【図１３】
0004037599.tif 000014
【図１４】
0004037599.tif 000015
【図１５】
0004037599.tif 000016